(57)【要約】【課題】外部環境状態により表示部に必要とされる表示部の最高輝度（白ピーク）が高い状態においても、十分な高輝度を得て鮮明な表示をすることが出来る車載用表示装置を提供する。【解決手段】車の本体に設けられ、外部環境の明暗を検知する光検出器２と、予め複数の明るさ基準レベルを格納する記憶部３と、複数の明るさ基準レベルの中から所定の基準レベルを選択する選択部４と、光検出器２で検知された外部環境の明暗のレベルと選択部４で選択された所定の基準レベルを比較する比較器５と、比較器５で比較した結果、外部環境の明暗のレベルが所定の基準レベルからずれている場合には、所定の基準レベルに調整する調整器６と、所定の基準レベルの明るさで画像表示を行う表示部７と、を備える。【選択図】      図１
2006330046.tif 000002
【特許請求の範囲】
【請求項１】
車の外の明暗に応じて輝度を変化させて画像表示を行う社内に取り付け可能な車載用表示装置において、
車の外の明暗を検知する光検出器と、
予め複数の明るさ基準レベルを格納する記憶部と、
車外の明から暗に至る明るさを複数の明るさのレベルとして設定し、設定した複数のレベルの内から中間レベルを選択して基準レベルとする選択部と、
前記光検出器で検知された前記外部環境の明暗のレベルと前記選択部で選択された前記所定の基準レベルを比較する比較器と、
前記比較器で比較した結果、前記外部環境の明暗のレベルが前記所定の基準レベルからずれている場合には、前記所定の基準レベルに調整する調整器と、
前記所定の基準レベルの明るさで前記画像表示を行う表示部と、
を備えたことを特徴とする車載用表示装置。
【発明の詳細な説明】
【技術分野】
【０００１】
本発明は車載用表示装置に係り、特に外部環境状態により表示部に表示される情報の最高輝度を最適に得るための調整器を備えた車載用表示装置に関する。
【背景技術】
【０００２】
従来の車載用表示装置においては、冷陰極電子放出素子を用いたフィールドエミッション表示装置やエレクトロルミネセンス表示装置等を表示部としており、これらの表示部では１走査線ずつ順に短時間しか発光しないので、表示部へ入力される発光情報に含まれる高輝度情報のレベルに応じた表示部分の視覚的な高輝度(白ピーク)が得にくかった。この対応として、入力される高輝度情報のレベルを検出し、その検出範囲において視覚的な高輝度(白ピーク)が得られるよう発光時間を伸ばして表示していた。
【０００３】
図６は、従来の高輝度を検出した範囲の発光時間を伸ばして表示する車載用表示装置１００を説明するための構成図である。
図６に示すように、従来の車載用表示装置１００は、情報データＶ００から所定のレベル以上の高輝度部分のデータを検出し高輝度データＤ００とする高輝度検出部１０１と、情報データＶ００と高輝度データＤ００を入力して併合した表示用データＤ０１を生成するデータ供給部１０２と、表示用データＤ０１から情報データＶ００を抽出して水平走査期間の発光を制御しさらに高輝度データＤ００を抽出して水平帰線期間の発光を制御して表示パネル１０４の発光を駆動するための駆動データＤｘ１を生成するデータ駆動部１０３と、駆動データＤｘ１を入力し水平走査期間では情報データＶ００に基づいた発光期間分発光し水平帰線期間では高輝度データＤ００に基づいた発光期間分発光する表示パネル１０４と、情報データＶ００に含まれる同期成分から水平同期パルスＨｄ１と垂直同期パルスＶｄ１を抽出し水平同期パルスＨｄ１はデータ駆動部１０３へ送り垂直同期パルスＶｄ１は走査線駆動部１０６に送る同期分離部１０５と、垂直同期パルスＶｄ１を入力し表示パネル１０４に供給される走査線駆動パルスＬｘ１を生成する走査線駆動部１０６と、から構成される。
【０００４】
次に、動作について説明する。
車載用表示装置１００に入力された情報データＶ００を高輝度検出部１０１に入力し、情報データＶ００からは所定のレベル以上の高輝度部分を検出して高輝度データＤ００を生成する。そして、データ供給部１０３に情報データＶ００と高輝度データＤ００を入力し、高輝度データＤ００と情報データＶ００を併合した表示用データＤ０１を生成する。
【０００５】
そして、表示用データＤ０１をデータ駆動部１０３により駆動データＤｘ１に変換して表示パネル１０４に加えて表示する。駆動データＤｘ１は、水平同期パルスＨｄ１の期間内に設定された水平走査期間と水平帰線期間のうち、水平走査期間を表示用データＤ０１から抽出した情報データＶ００に基づく発光期間とし、水平帰線期間を表示用データＤ０１から抽出した高輝度データＤ００に基づく発光期間として、表示パネル１０４を発光させる。
【０００６】
このようにして、水平走査期間のみではなく水平帰線期間に高輝度部分を繰り返し発光させることにより、所定のレベル以上の高輝度部分に視覚的な高輝度(白ピーク)を得ることが出来る。
【０００７】
特許文献１には、通常の輝度表示を行う場合は、表示装置の表示部の発光を水平走査期間内に行って所定の輝度を得るものとし、輝度表示の部分的強調を行う場合は、表示装置の表示部の発光を水平走査期間とともに水平帰線期間にも発光させることが記載されている。
【特許文献１】特開２００４−２９５００１号公報
【発明の開示】
【発明が解決しようとする課題】
【０００８】
しかしながら、表示部で部分的強調を行わない場合は表示部の発光を水平走査期間内に行い、輝度表示の部分的強調を行う場合は表示部の発光を水平走査期間と共に水平帰線期間にも発光させる従来の高輝度部分の発光時間を伸ばして視覚的な高輝度(白ピーク)を得る車載用表示装置においては、水平同期パルスＨｄ１の期間は一定であり、その一定期間内に水平走査期間が大部分を占め、水平帰線期間は短期間にしか設定できないため、外部環境状態により表示部に必要となる最高輝度（白ピーク）を十分得ることはできず、従って表示部は高輝度で鮮明な表示を行うことはできないという問題点があった。
【０００９】
そこで、本発明は、上記のような問題点を解消するためになされたもので、外部環境状態により表示部に必要とされる表示部の最高輝度（白ピーク）が高い状態においても、十分な高輝度を得て鮮明な表示をすることが出来る車載用表示装置を提供することを目的とする。
【課題を解決するための手段】
【００１０】
本願発明における第１の発明は、車の外の明暗に応じて輝度を変化させて画像表示を行う社内に取り付け可能な車載用表示装置において、車の外の明暗を検知する光検出器と、
予め複数の明るさ基準レベルを格納する記憶部と、車外の明から暗に至る明るさを複数の明るさのレベルとして設定し、設定した複数のレベルの内から中間レベルを選択して基準レベルとする選択部と、前記光検出器で検知された前記外部環境の明暗のレベルと前記選択部で選択された前記所定の基準レベルを比較する比較器と、前記比較器で比較した結果、前記外部環境の明暗のレベルが前記所定の基準レベルからずれている場合には、前記所定の基準レベルに調整する調整器と、前記所定の基準レベルの明るさで前記画像表示を行う表示部と、を備えたことを特徴とする車載用表示装置を提供する。
【発明の効果】
【００１１】
本発明によれば、車の外の明暗に応じて輝度を変化させて画像表示を行う社内に取り付け可能な車載用表示装置において、車の外の明暗を検知する光検出器と、予め複数の明るさ基準レベルを格納する記憶部と、車外の明から暗に至る明るさを複数の明るさのレベルとして設定し、設定した複数のレベルの内から中間レベルを選択して基準レベルとする選択部と、光検出器で検知された外部環境の明暗のレベルと選択部で選択された所定の基準レベルを比較する比較器と、比較器で比較した結果、外部環境の明暗のレベルが所定の基準レベルからずれている場合には、所定の基準レベルに調整する調整器と、所定の基準レベルの明るさで画像表示を行う表示部と、を備えることにより、外部環境状態により表示部に必要とされる表示部の最高輝度（白ピーク）が高い状態においても、十分な高輝度を得て鮮明な表示をすることが出来る。
【発明を実施するための最良の形態】
【００１２】
以下に本発明の実施形態に係る車載用表示装置について図１〜図５を用いて説明する。
図１は、本発明の実施形態における車載用表示装置の構成を説明するための図である。
図２は、本発明の実施形態に係る発光状態を示す波形図であり、（Ａ）は外部環境の明暗が標準の場合を示す図であり、（Ｂ）は外部環境の明暗が基準レベル以上の場合を示す図である。
図３は、本発明の実施形態に係る車載用表示装置の発光部の発光期間に対する輝度を示す図であり、（Ａ）は外部環境の明暗が標準の場合で輝度データの最大レベル（２５５）を最大発光期間とした場合を示す図であり、（Ｂ）は外部環境の明暗が基準レベル以上の場合で輝度データの最大レベル（２５５）以上の発光期間を加算した状態を示す図であり、（Ｃ）は（Ｂ）の最大レベル（２５５）以上の発光期間を繰り返し発光期間とした場合を示す図である。
図４は、本発明の実施形態に係る調整器テーブルを示す図である。
図５は、本発明の実施形態に係る外部環境の明暗が基準レベル以上の水平走査期間の最大発光期間のタイミングを示す図であり、（Ａ）は基準レベルを含まない水平走査期間のタイミングを示す図であり、（Ｂ）は基準レベル以上を含む水平走査期間のタイミングを示す図である。
【００１３】
図１（Ａ）に示すように、本発明の実施形態における車載用表示装置は、車の本体に設けられ外部環境の明暗を検知し明暗レベルＳＤを生成する光検出器２と、予め複数の明るさ基準レベルＶ０を垂直同期期間毎に交互に格納し次に格納された複数の明るさ基準レベルＶ０を複数の明るさ基準レベルＶ１として交互に読み出す記憶部３と、複数の明るさ基準レベルＶ１の中から所定の基準レベルＤ０を選択する選択部４と、光検出器２で検知された明暗レベルＳＤと選択部４で選択された所定の基準レベルＤ０を比較し、比較基準レベルＤ１を出力する比較器５と、比較器５で比較した結果、外部環境の明暗のレベルＳＤが所定の基準レベルＤ０からずれている場合には、比較基準レベルＤ１に基づいて複数の明るさ基準レベルＶ１を所定の基準レベルＤ２に調整し、かつ基準レベルＤ０からずれている水平走査線数Ｌ０を計数する調整器６と、所定の基準レベルＤ２の明るさで画像表示を行う表示部７と、複数の明るさ基準レベルＶ０から同期信号を検出し垂直同期信号Ｖｄと垂直切り替え信号Ｓ１を生成する同期分離部８と、基準レベルＤ０からずれている水平走査線数Ｌ０から表示する水平走査線数Ｌ２を算出すると共に発光期間信号Ｈｄｎを生成する水平走査線数算出部９と、所定の基準レベルＤ２を輝度データＤｘｎとするデータ駆動部１０と、垂直同期信号Ｖｄと水平走査線数Ｌ２とから水平走査期間信号Ｌｘｎを生成する走査線駆動部１１と、から構成される。
【００１４】
次に、動作について説明する。
複数の明るさ基準レベルＶ０を有する車載用表示装置に表示する情報を１画面ずつ順に記憶したのち読み出して複数の明るさ基準レベルＶ１とした情報の中から所定の基準レベルＤ０を選択し、これを光検出器２で検知された外部環境の明暗のレベルＳＤと比較し、一致している場合は、図２（Ａ）に示すように垂直同期信号Ｖｄの期間は等間隔の水平走査期間Ｌｘ０，Ｌｘ１，Ｌｘ２，Ｌｘ３，．．，Ｌｘｎで構成し、最大発光期間をＴ０とする。従って複数の明るさ基準レベルＶ１から生成される輝度データＤｘｎを０〜２５５とすると図３（Ａ）に示すように輝度データＤｘｎは発光期間に比例した輝度で表示部７に表示され最大発光期間Ｔ０は最大輝度データ２５５となり表示部の輝度は１００％で表示される。
【００１５】
そして、所定の基準レベルＤ０と外部環境が明るくなった場合の明暗のレベルＳＤと比較すると明暗のレベルＳＤは増加しているので基準レベルＤ０とは一致しないので、外部環境の明暗のレベルＳＤと一致させるため図２（Ｂ）に示すように一致していない水平走査期間Ｌｘ２，Ｌｘ３では発光期間（Ｔ０）に加算期間（ｔａ）を追加し調整する。すなわち最大輝度データ２５５を明暗のレベルＳＤの増加分を加算した輝度データＤａｄとし輝度を１００％以上のＭａｄとする。これは図３（Ｃ）に示すように輝度データをＤｘから２５５までを繰り返し発光させた状態と同等となる。すなわち、外部環境の明暗のレベルＳＤがＤａｄの場合、最大輝度データ２５５との差分を最大輝度データ２５５から差し引いた値Ｄｘから最大輝度データ２５５までを繰り返し発光させることにより表示部の輝度を調整する。また外部環境が明るくなった場合においても輝度データがＤｘ以下の場合はＬｘ０，Ｌｘ１に示すように発光期間を一回としてｔｘとする。
【００１６】
以上のように、輝度データＤａｄが必要な水平走査線期間は、発光期間（Ｔ０）に加算期間（ｔａ）を追加して輝度を増加させ、輝度データＤａｄが必要でない水平走査線期間では発光期間をｔｘとすれば、外部環境状態により表示部に必要とされる表示部の最高輝度（白ピーク）が高い状態においても、水平帰線期間は用いなくても十分な高輝度を得て鮮明な表示をすることが出来る。
【００１７】
次に、より詳細に動作を説明する。
図４に示すように、調整器６では調整器テーブルを設定しておく。自動切換えを行う場合は、所定の基準レベルＤ０と外部環境の明暗のレベルＳＤとから基準レベルを選択する。例えば所定のレベルＤ０を最大値２５５とし明暗のレベルＳＤが２５５以下の場合は基準レベル０を選択し図３（Ｃ）に示されるＤｘを２５５とする。この場合図３（ａ）に示されるように最大の発光期間はＴ０で表示部７の最大輝度は１００％で表示される。
【００１８】
そして、所定のレベルＤ０を最大値２５５とし明暗のレベルＳＤが２５５〜３１３の範囲とすると、基準レベル１を選択しＤｘは２５５−（３１３−２５５）＝１９７となる。そうすると図３（Ｃ）に示される輝度Ｍａｄは１２３％となる。
更に、所定のレベルＤ０を最大値２５５とし明暗のレベルＳＤが３１４〜３６７の範囲とすると、基準レベル２を選択しＤｘは２５５−（３６７−２５５）＝１４３となる。そうすると図３（Ｃ）に示される輝度Ｍａｄは１４４％となる。また、手動切換えを行う場合は、図４に示すように固定値Ｓｅｔ０，Ｓｅｔ１もしくは指定値Ｓｅｔ２を選択すればよい。
【００１９】
図５（Ａ）に示すように、基準レベルを設定されても所定のレベルＤ０がＤｘ未満である水平走査線では、最大の発光期間はＤｘに基づいた発光期間ｔｘ未満となり、所定のレベルＤ０によりポイントＰ０に示す発光期間を制御する。そして、水平走査期間Ｓ０は水平帰線期間を含み、最大発光期間を設定する輝度データは水平帰線期間に転送される。
【００２０】
そして、図５（Ｂ）に示すように、基準レベルが１以上に設定された水平走査線では、最大の発光期間Ｔ０はＤｘの最大値２５５に基づいた発光期間となる。そして、加算期間での最大発光期間ｔａは明暗のレベルＤａｄから最大値２５５を差し引いた値に基づいて設定されポイントＰ１に示す発光期間を制御する。また輝度データを転送するためそれぞれの最大発光期間の間には発光停止期間を設定する。従って水平走査期間Ｓ１は２つの最大発光期間と水平帰線期間と発光停止期間の合計となる。
【００２１】
１画面内における水平走査線数は一定であるが、水平走査線期間Ｓ０は一回走査であり、
水平走査期間Ｓ１は同じ水平走査線の位置で２回走査を行う。そして、水平走査線期間Ｓ０と水平走査期間Ｓ１の合計が１画面内で一定となるよう図１の調整部６で予め設定しておく。従って１画面の走査線数をＰとすると、水平走査線期間Ｓ０の走査線数をＨ１、水平走査期間Ｓ１の走査線数をＨ２とすると次式が得られる。
Ｈ２＝（ｍ×ｋＨ１）／Ｐ・・・・ｍ：Ｈ１の水平走査線数、ｋ：輝度強調係数
【００２２】
以上述べてきたように、本発明の実施形態によれば、外部環境状態により表示部に必要とされる表示部の最高輝度（白ピーク）が高く要求される範囲においては、発光期間を大幅に伸ばすことにより十分な高輝度を得て鮮明な表示をすることが出来る。
【図面の簡単な説明】
【００２３】
【図１】本発明の実施形態における車載用表示装置の構成を説明するための図である。
【図２】本発明の実施形態に係る発光状態を示す波形図であり、（Ａ）は外部環境の明暗が標準の場合を示す図であり、（Ｂ）は外部環境の明暗が基準レベル以上の場合を示す図である。
【図３】本発明の実施形態に係る車載用表示装置の発光部の発光期間に対する輝度を示す図であり、（Ａ）は外部環境の明暗が標準の場合で輝度データの最大レベル（２５５）を最大発光期間とした場合を示す図であり、（Ｂ）は外部環境の明暗が基準レベル以上の場合で輝度データの最大レベル（２５５）以上の発光期間を加算した状態を示す図であり、（Ｃ）は（Ｂ）の最大レベル（２５５）以上の発光期間を繰り返し発光期間とした場合を示す図である。
【図４】本発明の実施形態に係る調整器テーブルを示す図である。
【図５】本発明の実施形態に係る外部環境の明暗が基準レベル以上の水平走査期間の最大発光期間のタイミングを示す図であり、（Ａ）は基準レベルを含まない水平走査期間のタイミングを示す図であり、（Ｂ）は基準レベル以上を含む水平走査期間のタイミングを示す図である。
【図６】従来の車載用表示装置の構成を説明するための図である。
【符号の説明】
【００２４】
１・・・車載用表示装置、２・・・光検出器、３・・・記憶部、４・・・選択部、５・・・比較器、６・・・調整部、７・・・表示部、８・・・同期分離部、９・・・水平走査線算出部、１０・・・データ駆動部、１１・・・走査線駆動部、１２・・・手動設定部
【図１】
2006330046.tif 000003
【図２】
2006330046.tif 000004
【図３】
2006330046.tif 000005
【図４】
2006330046.tif 000006
【図５】
2006330046.tif 000007
【図６】
2006330046.tif 000008